(57)【特許請求の範囲】
【請求項１】
下面側に開口し側面にランプ導入孔を穿設した反射笠を備え、前記反射笠の頂部に連結されかつ水平に配置される部品基板を備え、前記部品基板に対しほぼ垂直に固定されるソケット基板を備え、前記ソケット基板に固定されるソケットを備え、前記ソケットを前記ランプ導入孔に対向するように配置し、主発光部が前記反射笠内に位置し口金部が前記ソケットに着脱自在に装着される片口金形ランプを備え、前記ソケット基板の縁から斜め下向きに曲げられた前記部品基板の下面側に配置される点灯用部品を備え、前記反射笠の一方の側面下側と他方の側面下側に固定される一対の支柱を備え、前記一対の支柱を前記反射笠の中心よりも前記点灯用部品側に寄せて配置し、前記一対の支柱の溝に装着される一対の取付金具を備えて構成されるダウンライト照明器具とこれを装着する天井材を備え、
前記天井材にダウンライト取付孔を穿設し、前記ダウンライト照明器具のほぼ全部を下側から前記ダウンライト取付孔へ挿入し、前記一対の取付金具を前記ダウンライト取付孔の縁部に着脱自在に係合し、前記点灯用部品側にある前記ダウンライト照明器具の重心と、前記天井材の下面に接触する前記反射笠の前記点灯用部品側とは反対側の下端に形成される支点との距離を、前記部品基板を前記斜め下向きに曲げない場合の前記重心と前記支点との距離に比べて短くすることにより、前記支点の周りに生じる回転モーメントを小さくし前記反射笠と前記天井材間の隙間発生を防止することを特徴とするダウンライト装置。
【発明の詳細な説明】
【技術分野】
【０００１】
本発明はダウンライト装置に関するものである。特に、部品基板および点灯用部品を天井材に触れないように離し、その両者を繋ぐ部材を設けないダウンライト照明器具の部品基板の構造に関するものである。
【背景技術】
【０００２】
従来のこの種装置の部品基板の構造は天井材に対し平行であるので、ダウンライト照明器具の重心と支点の距離が長くなり、同時に回転モーメントが大きくなり、その結果、取付金具だけでは回転モーメントに耐えられなく、反射笠と天井材との間に隙間が生じる場合があった。それゆえ部品基板と天井材を繋ぐ部材を設ける必要があり、部品基板に部材を設けた場合、ダウンライト照明器具の取付けに難が生じるなどの問題があった。
【０００３】
そのため、部品基板をソケット基板の縁から任意の角度で斜め下向きに曲げを行うことで支点と重心との距離を短くし、同時に回転モーメントを小さくすることにより、部品基板と天井材を繋ぐ部材がなくても、反射笠と天井材の間に生じる隙間発生を防止することが出来る。その結果部品基板と天井材を繋ぐ部材を設ける必要がなくなり、ダウンライト照明器具の取付けを容易にすることができる。
【発明の開示】
【発明が解決しようとする課題】
【０００４】
本発明の目的は、ダウンライト照明器具における反射笠と天井材との隙間発生を防止するための部品基板と天井材を繋ぐ部材を設けることを必要とせず、ダウンライト照明器具の取付けを容易にすることである。
【課題を解決するための手段】
【０００５】
本発明においては、以上の課題を解決するために、下面側に開口し側面にランプ導入孔を穿設した反射笠を備え、前記反射笠の頂部に連結されかつ水平に配置される部品基板を備え、前記部品基板に対しほぼ垂直に固定されるソケット基板を備え、前記ソケット基板に固定されるソケットを備え、前記ソケットを前記ランプ導入孔に対向するように配置し、主発光部が前記反射笠内に位置し口金部が前記ソケットに着脱自在に装着される片口金形ランプを備え、前記ソケット基板の縁から斜め下向きに曲げられた前記部品基板の下面側に配置される点灯用部品を備え、前記反射笠の一方の側面下側と他方の側面下側に装着される一対の取付金具を備えて構成されるダウンライト照明器具とこれを装着する天井材を備え、前記天井材にダウンライト取付孔を穿設し、前記ダウンライト照明器具のほぼ全部を下側から前記ダウンライト取付孔へ挿入し、前記一対の取付金具を前記ダウンライト取付孔の縁部に着脱自在に係合し、前記点灯用部品側にある前記ダウンライト照明器具の重心と、前記天井材の下面に接触する前記反射笠の前記点灯用部品側とは反対側の下端に形成される支点との距離を、前記部品基板を前記斜め下向きに曲げない場合の前記重心と前記支点との距離に比べて短くすることにより、前記支点の周りに生じる回転モーメントを小さくし前記反射笠と前記天井材間の隙間発生を防止することを特徴とするダウンライト装置としたものである。
【発明の効果】
【０００６】
本発明は、部品基板をソケット基板の縁から任意の角度で斜め下向きに曲げることで回転モーメントを小さくし、それにより反射笠と天井材の間の隙間発生が防止され、その両者を繋ぐ部材を設ける必要がなくなる。その結果ダウンライト照明器具の取付けを容易にするとともに部品代、部品取付工数の低減をすることが出来る。
【発明を実施するための最良の形態】
【０００７】
本発明装置の実施形態を図１・図２・図３を用いて説明する。本発明に係るダウンライト照明器具は図１に示す通り部品基板１を備え、部品基板１の前部に下面側に開口し側面にランプ導入孔７を穿設した反射笠２を備える、部品基板１に対しほぼ垂直に固定されるソケット基板４を備え、ソケット基板４に固定されるソケット５を備え、ソケット５をランプ導入孔７に対向するように配置し、部品基板１の下面側に配置する点灯用部品３を備え、点灯用部品３の右隣に配置する端子台１０を備え、反射笠２の一方の側面下側と他方の側面下側に固定される都合一対の支柱６を備え、一対の支柱６を部品基板１側に寄せて互いに非対称となるように配置し、支柱６の溝に上下にスライド可能な取付金具１１を備える。
【０００８】
図２に示すように、点灯用部品３および端子台１０およびソケット基板４およびソケット５が装着されているので部品基板１の後方にある重心Ａ２に下向きに荷重ＭＧ２がかかり、支点Ｂ２周りに回転モーメントＭ２が生じる。そのため反射笠２の後方には下向きに力がはたらき、天井材８と反射笠２の間であるＣ２部に隙間が生じる。このような問題を解決するため従来は、図３に示すように部品基板１の後部に天井材８と繋ぐ部材９を設けて、部品基板１の後方に下向きにかかる荷重ＭＧ３を低減することにより、支点Ｂ３周りに生じる回転モーメントＭ３を低減し、Ｃ３部に生じる隙間発生を防止していた。しかし、図１に示すようにソケット基板４の縁から任意の角度で曲げを設けると、部品基板１の後方にある重心Ａ１と支点Ｂ１との距離Ｌ１が図２に記載するＬ２より短くなるため、支点Ｂ１周りに生じる回転モーメントＭ１はＭ２より小さくなり、Ｃ１部における隙間発生を防止することができ、部材９を必要としない。
【０００９】
以上より、天井材８と反射笠２の間に生じる隙間発生の防止のために、部品基板１と天井材８を繋ぐ部材９を設けるという方法を用いないダウンライト照明器具の構造を提供することができる。
【図面の簡単な説明】
【００１０】
【図１】本発明に係る部品基板をソケット基板の縁から任意の角度に曲げを設けた場合の側面図である。
【図２】その部品基板が水平な場合の側面図である。（部材９なし）
【図３】その部品基板が水平な場合の側面図である。（部材９あり）
【符号の説明】
【００１１】
１：部品基板
２：反射笠
３：点灯用部品
４：ソケット基板
５：ソケット
６：支柱
７：ランプ導入孔
８：天井材
９：部材
１０：端子台
１１：取付金具
【図１】
0004432571.tif 000002
【図２】
0004432571.tif 000003
【図３】
0004432571.tif 000004